(57)【要約】【課題】使用者のニーズにあったメロディを出力できるようにすること。【解決手段】メロディデータを、セキュリティ装置に設けられた無線通信手段５を用いて取り込み、これを記憶手段２に記憶させておく。そしてセンサー検出手段１からの信号を受信すると、制御手段４は記憶手段２に記憶されたメロディデータを取得し、スピーカーなどが接続された出力手段３を用いて前記メロディを出力する。これによって、メロディが好みのものでない場合でも、使用者の好みに合わせたメロディに変更することができる。【選択図】　図１
2004147163.tif 000002
【特許請求の範囲】
【請求項１】
メロディデータを記憶する記憶手段と、メロディデータの送受信を制御する制御手段と、前記記憶手段のメロディデータに基づいて所定のメロディを出力する出力手段と、外部機器からメロディデータを読み込むための無線通信手段とを備え、前記無線通信手段で受信したメロディデータを前記記憶手段に記憶するメロディ書き換え機能付きセキュリティ装置。
【請求項２】
記憶手段に記憶されたメロディデータは、消去可能である請求項１記載のメロディ書き換え機能付きセキュリティ装置。
【請求項３】
インターネットに接続する機能を有する親装置と、時刻を計時する計時手段とを備え、前記親装置がインターネットから取得した時刻情報を制御手段が無線通信手段を用いて取得し、前記計時手段が計時している時刻を補正する請求項１または２記載のメロディ書き換え機能付きセキュリティ装置。
【請求項４】
記憶手段に記憶されたメロディを出力手段から所定の時刻に出力するタイマー手段を備えた請求項１、２または３記載のメロディ書き換え機能付きセキュリティ装置。
【請求項５】
無線通信手段に替えて、携帯端末装置と通信するための赤外線通信手段を備え、前記携帯端末装置からメロディの書き換えやタイマー手段の設定が可能な請求項１〜４のいずれか１項に記載のメロディ書き換え機能付きセキュリティ装置。
【請求項６】
メロディデータに替え、音声データの記憶や書き換えが可能な請求項１〜５のいずれか１項に記載のメロディ書き換え機能付きセキュリティ装置。
【発明の詳細な説明】
【０００１】
【発明の属する技術分野】
本発明は、防犯等の監視を行うためのセキュリティ装置、特にメロディを書き換える機能を持ったセキュリティ装置に関するものである。
【０００２】
【従来の技術】
従来のこの種のセキュリティ装置は特許文献１に記載されているようなものがあった。図４は、公報に記載された従来のセキュリティ装置を示すものである。図４において、１は火災や防犯等の監視を行うセンサーが接続されるセンサー検出手段、２はメロディデータを記憶する記憶手段、３はメロディを出力する出力手段、４は各手段を司る制御手段で構成されている。そして制御手段４はセンサー検出手段１からの検出信号を受信すると、記憶手段２に記憶されたメロディデータを取得し、スピーカー等の出力手段３を用いて前記メロディを出力するようになっていた。
【０００３】
【特許文献１】
特開平６−２２３２８７号公報
【０００４】
【発明が解決しようとする課題】
しかしながら、上記従来のセキュリティ装置では、あらかじめ記憶手段に記憶されているメロディのみを出力するものであり、出力できるメロディは１つ又は多くとも数種類に限られていた。このため、従来のセキュリティ装置では、メロディが好みのものでない場合でも、メロディを変更することはできなかった。また使用者が使用しているセキュリティ装置のメロディに飽きてきた場合、新しいメロディを出力させたいと思っても、これを出力させることはできないという課題があった。
【０００５】
本発明は、前記従来の課題を解決するもので、使用者のニーズにあったメロディを出力できるメロディ書き換え機能付きセキュリティ装置を提供することを目的とする。
【０００６】
【課題を解決するための手段】
本発明のメロディ書き換え機能付きセキュリティ装置は、メロディデータを記憶する記憶手段と、メロディデータの送受信を制御する制御手段と、前記記憶手段のデータに基づいて所定のメロディを出力する出力手段と、外部機器からメロディデータを読み込むための無線通信手段を備えたものである。
【０００７】
これによって、インターネット網などを経由して配信業者によって配信されたメロディデータを、セキュリティ装置に設けられた無線通信手段を用いて取り込み、これを記憶手段に記憶し、そのメロディを出力することが可能となる。
【０００８】
【発明の実施の形態】
請求項１に記載の発明は、メロディデータを記憶する記憶手段と、メロディデータの送受信を制御する制御手段と、前記記憶手段のデータに基づいて所定のメロディを出力する出力手段と、外部機器からメロディデータを読み込むための無線通信手段を備えることにより、インターネット網などを経由して配信業者によって配信されたメロディデータを、セキュリティ装置に設けられた無線通信手段を用いて取り込み、それを記憶手段に記憶し、そのメロディを出力することを可能となる。
【０００９】
請求項２に記載の発明は、特に請求項１に記載の記憶手段に記憶されたメロディデータは、消去可能とすることにより、記憶手段を構成するメモリ等の容量は有限であるためこれらを効率よく利用することができる。
【００１０】
請求項３に記載の発明は、インターネット網に接続する機能を有する親装置と、時刻を計時する計時手段を有するメロディ書き換え機能付きセキュリティ装置から構成され、前記親装置がインターネット網から取得した時刻情報を、前記セキュリティ装置における制御手段が無線通信手段を用いて取得し、前記計時手段が計時している時刻を補正することにより、メロディ書き換え機能付きセキュリティ装置は絶えず正確な時刻が設定され、使用者は時刻合わせをする必要がなく使い勝手の向上を図ることができる。
【００１１】
請求項４に記載の発明は、所定の時刻に記憶手段に記憶されたメロディを出力手段から出力するタイマー手段を有することにより、タイマー手段を用いて使用者の好みの時間にメロディを出力するように設定することが可能となる。例えば時報や目覚まし時間の設定など時計として使用することもできる。
【００１２】
請求項５に記載の発明は、携帯端末装置と通信するための赤外線通信手段を有することにより、書き換えるメロディデータの選択やタイマー設定が、携帯電話、携帯型ＰＤＡ（Ｐｅｒｓｏｎａｌ　Ｄｉｇｉｔａｌ　Ａｓｓｉｓｔａｎｔ）、パソコン等の外部機器の表示部で確認しながら行うことが可能となり使い勝手の向上が図れる。また、前記外部機器が有するインターネット接続機能等を利用してメロディデータ等をダウンロードすることが可能となり、使用者の書き換えるメロディの選択肢が広がり、かつ手軽に書き換えることができる。さらに前記外部機器にメロディデータの書き換えやタイマー設定を行うためのアプリケーションソフトをＪＡＶＡ（Ｒ）等のソフトで作成し組み込みことも可能となるため、メロディデータの書き換えやタイマー設定をさらに一層容易にすることができる。
【００１３】
請求項６に記載の発明は、メロディデータに代わり音声データも同様に、記憶や書き換えを可能とすることにより、使用者の設置場所、使い方、好みに合わせて最適な音声を出力させることが可能となる。また伝言板としても利用でき、さらに音声で時報や時刻を報知するようにすることもできる。
【００１４】
【実施例】
以下、本発明の実施例について図面を参照にしながら説明する。
【００１５】
（実施例１）
図１は、本発明の実施例１におけるメロディ書き換え機能付きセキュリティ装置のブロック図を示すものである。図１において、５は外部機器からメロディデータを読み込むための無線通信手段、６は外部機器である親装置、７はインターネット網である。なお、図４と同一符号のものは同一構造を有し、説明は省略する。
【００１６】
以上のように構成されたメロディ書き換え機能付きセキュリティ装置について、以下その動作、作用を説明する。まず、親装置６は、無線通信を用いてメロディ書き換え機能付きセキュリティ装置に出力させたいメロディデータを送信する。メロディ書き換え機能付きセキュリティ装置における制御手段４は、無線通信手段５を用いてこのメロディデータを受信し、記憶手段２に記憶させておく、そしてセンサー検出手段１からの信号を受信すると、制御手段４は記憶手段２に記憶されたメロディデータを取得し、スピーカーなどが接続された出力手段３を用いて前記メロディを出力する。
【００１７】
以上のように、本実施例においては、セキュリティ装置に記憶されたメロディデータを書き換えることができ、メロディが好みのものでない場合でも、メロディを変更することができ、また使用者が使用しているセキュリティ装置のメロディに飽きてきた場合、新しいメロディに書き換えることもできる。なお、制御手段４は取得したメロディデータを記憶手段２に記憶させると説明したが、すでに記憶手段２に記憶されているメロディデータを消去することもできる。
【００１８】
また、記憶手段２には複数のメロディデータを記憶させることもでき、メロディ書き換え機能付きセキュリティ装置に、出力するメロディの選択手段を設けることにより、前記記憶手段２に記憶された複数のメロディデータから出力するメロディを選択させることもできる。
【００１９】
なお、親装置６から送信するメロディデータは、親装置６自体に記憶させたメロディデータを使用者に親装置６の表示部から選択させ送信する方法や、親装置６がインターネット網７からダウンロードしたメロディデータを送信する方法が考えられる。あるいは、メロディ書き換え機能付きセキュリティ装置に、出力手段３から出力するメロディを表示する表示手段と、前記表示手段に表示されたメロディを選択する選択手段を設け、使用者が前記表示手段と前記選択手段を用いてメロディを選択し、この選択されたメロディを親装置６あるいは親装置６を介してインターネット網７からダウンロードする方法も考えられる。
【００２０】
（実施例２）
図２は、本発明の実施例２のメロディ書き換え機能付きセキュリティ装置のブロック図である。図２おいて、６はインターネット網７に接続する機能を有する親装置、８は時刻を計時する計時手段である。本実施例２において、実施例１と異なる点は、時刻を計時する計時手段８を設けた点である。なお、実施例１と同一符号のものは同一構造を有し、説明は省略する。
【００２１】
次に動作、作用を説明すると、親装置６はＩＰ（Ｉｎｔｅｒｎｅｔ　Ｐｒｏｔｏｃｏｌ）が実装され、モデムなどを介してインターネット網７に接続されており、インターネット網７から時刻情報を取得できる機能を有する。親装置６は無線通信を用い、この取得した時刻情報をメロディ書き換え機能付きセキュリティ装置に送信する。メロディ書き換え機能付きセキュリティ装置における制御手段４は、無線通信手段５を用いてこの時刻情報の受信を行い、時刻を計時する計時手段８の時刻情報と比較し、異なる場合は計時手段８の時刻情報を補正する。そしてセンサー検出手段１からの信号を受信すると、計時手段８から時刻情報を取得し、センサー検出手段１からの信号を受信した時刻を記憶手段２に記憶しておく。
【００２２】
また、使用者が設定した所定の時間に記憶手段２に記憶されたメロディデータを出力手段３から出力するタイマー手段９を設けることにより、使用者は親装置６から無線通信を用いてメロディを出力する時間をメロディ書き換え機能付きセキュリティ装置に送信する。メロディ書き換え機能付きセキュリティ装置における制御手段４は、無線通信手段５を用いてこのメロディを出力する時間を受信し、タイマー手段９に設定する。タイマー手段９は設定された時刻になると、制御手段４に対して信号を出力し、制御手段４がこの信号を受信することにより、記憶手段２に記憶されたメロディを出力手段３から出力するようにもできる。
【００２３】
以上のように、本実施例においては、タイマー手段９を用いて使用者の好みの時間にメロディを出力するように設定することが可能であり、例えば時報や目覚まし時間の設定など、時計と同様な使い方をすることもできる。
【００２４】
なお、メロディを出力する時間を設定する際に、出力するメロディも設定できるようにすることもできる。また時報や目覚まし時間などそれぞれで異なるメロディを出力するようにもできる。
【００２５】
なお、親装置６がインターネット網７から時刻情報を取得する方法としては、ＤＡＹＴＩＭＥ（ｄａｙｔｉｍｅ　ｐｒｏｔｏｃｏｌ：現在の日付と時刻を人間が理解できる書式でサーバーから受信するためのプロトコル）、ＮＴＰ（ｎｅｔｗｏｒｋ　ｔｉｍｅ　ｐｒｏｔｏｃｏｌ：２台のマシン同士で時刻を同期させるためのプロトコル）、ＳＮＴＰ（ｓｉｍｐｌｅ　ｎｅｔｗｏｒｋ　ｔｉｍｅ　ｐｒｏｔｏｃｏｌ：ＮＴＰの簡略版プロトコル）、ＴＩＭＥ（ｔｉｍｅ　ｓｅｒｖｅｒ　ｐｒｏｔｏｃｏｌ：サーバーの時刻を１９００年１月１日０：００：００から経過した秒数で受け取るプロトコル）といったプロトコルを用いて取得する方法が考えられる。
【００２６】
（実施例３）
図３は、本発明の実施例３のメロディ書き換え機能付きセキュリティ装置のブロック図である。図３おいて、１０は赤外線通信機能を備えた携帯電話、１１は携帯電話１０と通信を行える赤外線通信手段である。
【００２７】
本実施例３において、実施例１（または２）と異なる点は、赤外線通信機能を備えた携帯電話１０と、メロディ書き換え機能付きセキュリティ装置において、無線通信手段５に代わり携帯電話１０と通信を行える赤外線通信手段１１を設けた点である。なお、実施例１または２と同一符号のものは同一構造を有し、説明は省略する。
【００２８】
次に動作、作用を説明すると、携帯端末装置１０は携帯電話１０として説明する。
【００２９】
携帯電話１０には、メロディデータの書き換えやタイマー手段９の設定を行うため、ＪＡＶＡ（Ｒ）等を用いて作成されたアプリケーションソフト（ｉアプリ等）が実行されている。例えば使用者がメロディデータを書き換えたい場合、赤外線通信の送受信部をメロディ書き換え機能付きセキュリティ装置の赤外線通信手段１１に向けて配置し、携帯電話１０の表示部から書き換えたいメロディを選択することにより、携帯電話１０からメロディ書き換え機能付きセキュリティ装置にメロディデータが転送される。以降先の実施例１と同様にメロディデータが書き換えられる。つまり先の実施例１および２で述べたことと同様のことが、携帯電話１０と赤外線通信手段１１を用いて実現することができる。また、タイマー手段９の設定も先の実施例１および２で述べた通り同様に実施できる。
【００３０】
以上のように、本実施例においては、書き換えるメロディデータの選択やタイマー設定が、携帯電話１０の表示部で確認しながら行うことが可能となり使い勝手の向上が図れる。また、携帯電話１０が有するインターネット接続機能等を利用してメロディデータ等をダウンロードすることが可能となり、使用者の書き換えるメロディの選択肢が広がり、かつ手軽に書き換えることができる。さらに携帯電話１０にメロディデータの書き換えやタイマー手段９の設定を行うためのアプリケーションソフトをＪＡＶＡ（Ｒ）等のソフトで作成し組み込みことも可能となるため、メロディデータの書き換えやタイマー設定をさらに一層容易にすることができる。
【００３１】
なお、本実施例で述べた赤外線通信手段１１で用いる赤外線通信のプロトコルとしては、ＩｒＤＡ（Ｉｎｆｒａｒｅｄ　Ｄａｔａ　Ａｓｓｏｃｉａｔｉｏｎ）などが考えられる。または、携帯電話向け赤外線通信プロトコルの規格であるＩｒＭＣ（ＩｒＤＡ　Ｉｎｆｒａｒｅｄ　Ｍｏｂｉｌｅ　Ｃｏｍｍｕｎｉｃａｔｉｏｎ）なども考えられる。また、携帯端末装置１０としては、携帯電話の他に、ＰＨＳ、携帯型ＰＤＡ（Ｐｅｒｓｏｎａｌ　Ｄｉｇｉｔａｌ　Ａｓｓｉｓｔａｎｔ）、パソコン、ノンＰＣ端末と呼ばれる情報端末装置等が考えられる。また、本実施例では、メロディ書き換え機能付きセキュリティ装置は、無線通信手段５に代わり赤外線通信手段１１を備える構成として説明したが、無線通信手段５と赤外線通信手段１１の両方を備える構成としても同様に実施できる。
【００３２】
そして、前記各実施例において、メロディデータを例に取り説明したが、音声データの場合でも前記各実施例を同様に実施することができる。また、音声データに書き換える方法として、書き換えたい内容を電子メールで親装置６に送信する。一方親装置６には、ＡＰＯＰやＰＯＰなどの電子メールを受信するプロトコルが実装されており、先の電子メールを受信し内容を解析し、書き換えるべき音声データを取りだし、この音声データをメロディ書き換え機能付きセキュリティ装置に送信することにより、音声データを書き換える方法等も考えられる。また、メロディとはブザー音も含んでいる。さらに、音声データの他に、フラッシュなどのライトの点灯パターンや輝度、センサーの感度等、ここで述べた以外にも同様の構成でさまざまなものに適用することができる。
【００３３】
また、前記各実施例において、センサー検出手段１に接続されるセンサーとしては、火災センサー、防犯センサーが考えられ、具体的には赤外線センサー、ガラス破壊センサー、マグネットセンサー、ショックセンサー、炎センサー、人体検知センサー、ガス漏れセンサー、超音波センサー、重量センサーなどが考えられる。
【００３４】
また、前記各実施例において、親装置６はパソコン、携帯電話、ＰＨＳ、携帯型ＰＤＡ（Ｐｅｒｓｏｎａｌ　Ｄｉｇｉｔａｌ　Ａｓｓｉｓｔａｎｔ）、やノンＰＣ端末と呼ばれる情報端末装置が考えられる。また、前記各実施例において、メロディデータの書き換えや音声データの書き換えについて説明したが、同様にメロディや音声のボリュームを設定することもできる。そしてまた、前記各実施例において、無線通信手段５で用いる無線通信のプロトコルとしては、エコーネット規格、ＨＯＭＥＲＦ規格、ＩＥＥＥ８０２規格、Ｂｌｕｅｔｏｏｔｈ規格等の標準規格を用いることが考えられる。
【００３５】
更に、前記各実施例において、出力手段３はメロディをスピーカー等で出力する方法や、音声データの場合は音声合成手段を用いて記憶手段２に記憶された音声データをスピーカー等で出力する方法が考えられる。また出力手段３の代わりに無線通信手段５を用いて外部装置に出力するように構成することもできる。
【００３６】
【発明の効果】
以上のように、本発明によれば、インターネット網などを経由して配信業者によって配信されたメロディデータを、セキュリティ装置に設けられた無線通信手段を用いて取り込み、これを記憶手段に記憶し、そのメロディを出力することを可能としているので、メロディが好みのものでない場合でも、使用者の好みに合わせたメロディに変更することができる。また使用しているセキュリティ装置のメロディに飽きてきた場合、新しいメロディに書き換えることができるという効果が得られる。
【図面の簡単な説明】
【図１】本発明の実施例１におけるメロディ書き換え機能付きセキュリティ装置のブロック図
【図２】本発明の実施例２におけるメロディ書き換え機能付きセキュリティ装置のブロック図
【図３】本発明の実施例３におけるメロディ書き換え機能付きセキュリティ装置のブロック図
【図４】従来のセキュリティ装置のブロック図
【符号の説明】
２　記憶手段
３　出力手段
４　制御手段
５　無線通信手段
６　親装置
７　インターネット網
８　計時手段
９　タイマー手段
１０　携帯端末装置
１１　赤外線通信手段
【図１】
2004147163.tif 000003
【図２】
2004147163.tif 000004
【図３】
2004147163.tif 000005
【図４】
2004147163.tif 000006